(57)【要約】【課題】  地盤に杭穴を掘削する杭穴掘削装置には杭穴の傾斜状況を知る好適な手段が設置されていないために杭穴の掘削作業中に掘削している杭穴が鉛直方向に正しく掘削されているか、あるいは鉛直方向から傾斜しているかをリアルタイムに確認することができず、その結果杭穴が斜めに形成されるという問題がある。【解決手段】  掘削バケットを支持する支持部材に加速度センサを設けることにより、掘削バケットを支持する部材が傾いた際に発生する加速度を検出し、その加速度の値から傾斜角度検出手段によりケリーバの傾斜角を算出する。ケリーバの傾斜角度をリアルタイムに検出することにより掘削穴が傾斜したことを直ちに知ることが可能となる。【選択図】図１
2008255764.tif 000002
【特許請求の範囲】
【請求項１】
地盤を掘削する掘削バケットを備えた杭穴掘削装置において、前記掘削バケットを支持する支持部材に設けた加速度センサと、前記加速度センサの出力から前記掘削バケットの傾斜角を検出する傾斜角検出手段とを備えたことを特徴とする杭穴掘削装置。
【請求項２】
前記傾斜角検出手段は、前記掘削バケットの回転角周波数近傍の周波数のみ通過させるバンドパスフィルタを備えることを特徴とする請求項１に記載の杭穴掘削装置。
【請求項３】
前記傾斜角検出手段において、前記加速度センサの出力の振幅値から前記掘削バケットの傾斜角を求めることを特徴とする請求項２に記載の杭穴掘削装置。
【請求項４】
前記加速度センサの出力は、無線伝送手段により傾斜角検出手段に伝送されることを特徴とする請求項１に記載の杭穴掘削装置。
【発明の詳細な説明】
【技術分野】
【０００１】  本発明は、造成杭用あるいは既成杭用の杭穴を掘削する際に掘削バケットの傾斜角を検出することにより、形成されている杭穴の傾きを判定しつつ掘削を行う杭穴掘削装置に関するものである。
【背景技術】
【０００２】  地盤に杭穴を掘削し、この杭穴に杭を立設する方法として、現場に杭を造成する方法とすでに杭の形状に形成されている杭を杭穴に立設する方法とがある。【０００３】  現場造成杭は、掘削装置を用いて杭穴を掘削し、この杭穴に鉄筋およびトレミー管を挿入した上からコンクリートを打つことにより杭を形成する。一方、既成杭は、形成済みの杭を掘削した穴に打ち込む方法あるいは先端部をねじ加工されている杭を地盤にねじ込む方法により、杭を設置する方法である。いずれの方法であっても地盤に杭用の穴を掘削する必要がある。【０００４】  杭穴は、予めボーリング調査により把握した地盤の状況から、Ｎ値が所定の値以上の硬さの地層を杭穴の支持層と定め、少なくともこの支持層に到達するまでの深さの杭穴を掘削する必要がある。造成杭を形成するための杭穴もしくは既成杭を立設するための杭穴は正しく鉛直方向に形成する必要があり、この杭穴が鉛直方向から曲がった場合には再度杭穴の掘削をやり直さなければならず、多大な費用が発生するという不具合がある。【０００５】  杭穴が鉛直方向から曲がってしまう原因は、地盤中に岩などの掘削不能な障害物に当ることや、地盤中にある固い地層が傾斜していることにより次第に掘削バケットが曲がることが考えられる。現状では掘削している杭穴が鉛直方向から傾いていることを知る好適な手段がないために、杭穴の掘削が完了した後に掘削した杭穴が鉛直方向から傾いているのが分かるのが実態である。
【発明の開示】
【発明が解決しようとする課題】
【０００６】  上述のように杭穴掘削装置に杭穴の傾斜状況を知る好適な手段が設置されていないために杭穴の掘削作業中に掘削している杭穴が鉛直方向に正しく掘削されているか、あるいは鉛直方向から傾斜しているかをリアルタイムに確認することができない。【０００７】  杭穴が鉛直方向を維持できずに傾斜して掘削されると、杭穴を再掘削することが必要となり多大な追加の費用が発生することになる。本発明は、上記の問題を鑑み、杭穴掘削装置の掘削作業中に掘削している杭穴の傾斜角度をリアルタイムに検出することができる杭穴掘削装置を提供することを目的とする。
【課題を解決するための手段】
【０００８】  上記目的を達成するために、本発明の第１の解決手段の杭穴掘削装置は、地盤を掘削する掘削バケットを備え、前記掘削バケットを支持する支持部材に設けた加速度センサと、前記加速度センサの出力から前記掘削バケットの傾斜角を検出する傾斜角検出手段とを備えたことを特徴とする。【０００９】  上記の第１の解決手段によれば、杭穴掘削装置の掘削バケットを支持する支持部材に加速度センサを設けることにより、掘削バケットを支持する部材が傾いた際に発生する加速度を検出し、その加速度の値から傾斜角度検出手段により傾斜角を算出する。その結果傾斜角度はリアルタイムに検出することができるので、掘削中の杭穴が傾斜したことを直ちに知ることができる。【００１０】  本発明の第２の解決手段は、第１の解決手段の杭穴掘削装置であって、前記傾斜角検出手段は、前記掘削バケットの回転角周波数近傍の周波数のみ通過させるバンドパスフィルタを備えることを特徴としており、傾斜角を求めるのに必要な回転角周波数に関連する信号を加速度センサにより得られた出力信号から抽出する。【００１１】  本発明の第３の解決手段は、第２の解決手段の杭穴掘削装置であって、前記傾斜角検出手段において、前記加速度センサの出力の振幅値から前記掘削バケットの傾斜角を求めることを特徴とする。【００１２】  本発明の第４の解決手段は、第１の解決手段の杭穴掘削装置であって、前記加速度センサの出力は、無線伝送手段により傾斜角検出手段に伝送されることを特徴とする。
【発明の効果】
【００１３】  本発明の杭穴掘削装置は、掘削バケットを支持する支持部材に加速度センサを備えて構成される杭穴掘削装置であり、杭穴の掘削時に非常に大きな振動および衝撃が高周期でかかるにも関わらず、前記加速度センサの出力の振幅値を検出することにより掘削バケットを支持する部材の傾きをリアルタイムに検出することが可能となる。【００１４】  掘削バケットを支持する部材の鉛直方向に対する傾斜角度が分かることは、とりもなおさず杭穴掘削装置が掘削している杭穴の傾斜角度が判明することであり、この傾斜角度を監視することにより、杭穴の再掘削による多大な追加の費用の発生を防ぐことが可能となる。
【発明を実施するための最良の形態】
【実施例】
【００１５】  図をもって本発明の方法および装置について詳細に説明する。なお、本発明は本実施例によって限定されるものではない。【００１６】    図１は本発明の実施例の杭穴掘削装置に用いられる掘削バケットおよび掘削バケットを駆動する駆動部などの要部を示す説明図であり、図２は、杭穴掘削装置の全体を示す外観図である。【００１７】  アースドリル工法と呼ばれる地盤に杭穴を掘削方法に用いられる杭穴掘削装置１は、図２に示すように伸長するブームの先端に吊り下げられたケリーバ３の先端に掘削バケット２を備えて構成される。掘削バケット２は、円筒形のバケット状の底面部に掘削用の掘削カッターを設けた構造であり、掘削バケット２を油圧モーター４でもって回転駆動することにより、地盤の土砂が掘削バケット２の内部に取り込まれる。掘削バケット２を連続して回転させることにより地盤を掘削し、掘削バケット２の内部に収容された土砂は、逐次地上に排出することで地盤の掘削作業を進められる。掘削バケット２を支持するケリーバ３は、杭穴掘削装置１のブーム先端に吊り下げられ、ケリーウインチ６により上下方向に移動可能に保持されている。【００１８】  掘削バケット２の底面部、掘削方向から見れば掘削バケット２の先端部に掘削用のカッターが設けられるとともに、掘削バケット２の側面部にサイドカッターが設けられており、掘削用カッターで杭穴の深度方向に掘削を行うと同時に、上記のサイドカッターにより所定の径の杭穴が形成される。【００１９】  アースドリル工法においては、最初に杭穴掘削装置１のケリーバ３を杭穴の中心位置に合わせ、掘削を開始する。次いで地表部に近い部分の杭穴を保護する表層ケーシングの建て込み予定深度まで掘削を行ったならば、表層ケーシングを建て込む。土質に適合した安定液を注入することで掘削した杭穴の崩落を防ぎながら杭の支持層まで掘り進み、その支持層に根入れ（支持層に掘削される所定深さの穴部）を形成して、杭穴の掘削作業が完了する。【００２０】  杭穴は所定の硬さの地層まで掘削を行って、その地層を杭穴の支持層とすることが必要であり、本実施例ではＮ値検出手段を備えることで杭穴の掘削作業中にＮ値をリアルタイムに知って杭穴の支持層まで到達したことを知る。【００２１】  図３は掘削バケット２を支持しているケリーバ３が鉛直方向に対して傾斜している状態を模式図でもって示す説明図である。掘削バケット２は、地盤中に存在する障害物のために掘削方向が曲げられることがある。また、地盤中にある固い地層が傾斜していることにより次第に掘削バケットが曲げられることがある。図３に示すようにケリーバ３の姿勢は鉛直方向に対して傾いており、その傾斜角度をθとする。【００２２】  加速度センサ７が図３および図４に示すようにケリーバ３の上端部に設けられる。加速度センサ７の加速度出力をケリーバ３の傾斜を測定するのに用いるためには、加速度センサ７の水平軸方向はケリーバ３の中心軸に対して正確に直交するように取り付けることが望ましいが、加速度センサ７の水平軸方向は、ケリーバ３の中心軸に対して正確に直交して取り付けられるとは限らない。そこで、図４に示すように加速度センサ７はケリーバ３の中心軸を鉛直方向に配置した際の水平方���に対してθ０の角度分傾いて取り付けられているとする。【００２３】  本実施例では、加速度センサ７は無線通信手段により管理装置８に出力データが送信される。加速度センサ７はケリーバ３に取り付けられるが、ケリーバ３は回転の動きと上下移動の動きを備えるとともに激しい振動および衝撃を受ける結果、ケーブルなどの有線手段を用いずに管理装置８にデータを送信する構成としている。【００２４】  次にケリーバ３の傾斜角を検出する手順について説明する。図３および図４に示すようにケリーバ３の上端部に取り付けられている加速度センサ７は、ケリーバ３の回転軸中心から距離ｒの位置に取り付けられる。図３に示すようにケリーバ３が鉛直方向から角度θ傾いているとすると、加速度センサ７の出力ｙは重力加速度に係る成分と掘削バケット２の回転による遠心力に係る成分の和となり、次に示す（１）式で表される。
ｙ＝ｇ・ｓｉｎ（θｓｉｎωｔ＋θ０）＋ｒω２・ｃｏｓ（θｓｉｎωｔ＋θ０）        （１）
ここで、ｇは重力加速度、ωは回転速度、ｔは時間を示す。またθ０は、上述したように、ケリーバ３の中心軸を鉛直方向に配置した際の水平方向に対する加速度センサ７の傾き角度である。【００２５】  θとθ０との角度の和が小さいならば、（１）式は次に示す（２）式で精度よく近似することができる。
ｙ＝（ｇ・θ０＋ｒω２）＋ｇ・θ・ｓｉｎωｔ        （２）
即ち、加速度センサ７の出力ｙは、第１項の（ｇ・θ０＋ｒω２）と、第２項の（ｇ・θ・ｓｉｎωｔ）との和で表される。【００２６】  図５に加速度センサ７の出力の変化を示すグラフを示す。掘削バケットの回転速度ωは必ずしも一定ではないが、掘削バケットが数回転する間の速度変化は僅かであると考えられるので、図５に示すように、加速度センサ７の出力ｙは、（ｇ・θ０＋ｒω２）の値を中心にして振幅ｇ・θ、周期２π／ωで変動するとみなすことができる。【００２７】  図５における出力ｙの振幅は（２）式からｇ・θであるので、加速度センサの振幅をＬとすると、傾斜角θは次に示す（Ａ）式により求められる。
θ＝Ｌ／ｇ        （Ａ）
即ち加速度センサの出力の振幅の大きさを求めて、その値を重力加速度ｇで除すればよい。【００２８】  図５では掘削バケット２の回転角速度ωがほぼ一定であると仮定した場合の説明図であり、（ｇ・θ０＋ｒω２）の値はほぼ一定として示してある。掘削バケット２の回転角速度ωの値が変動する場合でも掘削バケット２の回転は比較的遅いために、ほぼ２分の１回転の間ではほぼ一定と仮定してよいので、ピークから次のピークまでの変動を振幅ｇ・θと見なしてよい。【００２９】  図６は、加速度センサ７で得られた出力信号から杭穴の鉛直方向からの傾斜角を求める工程を示す流れ図である。加速度センサ７で得られたデータには、杭穴の掘削中に発生する各種の振動、即ち油圧モータ、コンプレッサー、バケットと土砂の接触による振動など多様な振動が混入し、そのままの状態では図５に示すような出力信号とはならない。そこで加速度センサ７のデータからケリーバ３の傾きを求めるために図４に示す回転周期２π／ωの信号を検出する。即ち、掘削バケットの回転角周波数近傍の周波数のみ通過させるバンドパスフィルタ８１を通すことにより、図５に示すような周期運動をしていることを表す加速度データを抽出する。【００３０】  傾斜角検出手段８２において、バンドパスフィルタ８１の出力を増幅した上で加速度データの極値を検出し、その最大の極値と最小の極値とから加速度データの振幅を検出する。検出した振幅の値を用いて上述した（Ａ）式によりケリーバ３の傾斜角即ち杭穴の傾斜角θが算出される。算出されたθの値を予め定められている杭穴の限界角度値と比較し、限界角度値を超えている場合には異常傾斜警告手段８４によりケリーバ３が所定値以上の傾斜角度となっていること、即ち掘削中の杭穴が基準値以上に傾斜していることを警告する。警告方法としては、ブザー等の音による警告および表示装置８６に異常が発生したことを示す表示灯などを設ける方法などが考えられる。【００３１】  地盤情報管理手段８３は、傾斜角検出手段８２の出力データおよび別途設けられているＮ値検出手段８５により検出された地盤のＮ値の情報を合わせて記録管理する管理手段であり、杭穴の傾斜角情報およびＮ値情報は、表示装置８６に表示することにより杭穴掘削装置が掘削している杭穴の情報をリアルタイムに操作作業者に分かりやすい形で提供することができる。【００３２】  その結果、操作作業者は異常傾斜警告手段８４に加えて、Ｎ値の値が急激に変化したことなどをいち早く知ることが可能となり、掘削している杭穴の状況を的確に把握できることにより、杭穴が傾斜することによる費用の発生を未然に防止することが可能となる。【００３３】  傾斜角およびＮ値は表示装置８６にリアルタイムに表示されるとともに、地盤情報管理手段８３に記録・保管される。これにより、杭穴掘削装置の操作作業者は、掘削作業中のケリーバ３の傾き具合をリアルタイムに把握することができるとともに、掘削した杭穴の傾きおよびＮ値の情報がデータとして記録されるので、作業の経過状況や地盤の状況を示す技術資料が得られる。【００３４】  本発明の杭穴掘削装置は、加速度センサを設けて、その出力信号から掘削中の杭穴の鉛直方向からの傾きを知ることを可能にしたものであり���その構成は簡潔であるとともに、振動および衝撃に強いという特徴を有する。その結果掘削作業において、信頼性の高い杭穴の鉛直方向からの傾斜角の値をリアルタイムにかつ高い信頼性をもって得ることができる。
【産業上の利用可能性】
【００３５】  従来の杭穴掘削装置にケリーバの傾斜角を正確に測定できる傾斜角の検出手段を備えていないために杭穴の掘削作業中に掘削している杭穴が鉛直方向に正しく掘削されているか、あるいは傾斜しているかリアルタイムに確認することができない。杭穴が鉛直方向を維持できずに傾斜して掘削されると、杭穴の再掘削が必要となり多大な追加の費用が発生することになる。【００３６】  本発明の杭穴掘削装置は、掘削バケットを支持する支持部材に加速度センサを設けることにより、掘削バケットを支持する部材が傾いた際に発生する加速度を検出し、その加速度の値から傾斜角度検出手段により傾斜角を算出する。その結果傾斜角度はリアルタイムに検出することができるので、掘削穴が傾斜したことを直ちに知ることが可能となる。したがって、不良の杭穴を掘削することがないために高い生産性を確保することが可能となり、産業への寄与が大なるものである。
【図面の簡単な説明】
【００３７】
【図１】  本実施例の杭穴掘削装置の要部を示す説明図である。
【図２】  本実施例の杭穴掘削装置の全体を示す外観図である。
【図３】  加速度センサとケリーバの傾斜角との関係を示す説明図である。
【図４】  加速度センサの取り付け状態を示す説明図である。
【図５】  加速度センサの出力の様子を示す説明図である。
【図６】  傾斜角を検出する流れを示す説明図である。
【符号の説明】
【００３８】      １  杭穴掘削装置
２  掘削バケット
３  ケリーバ
４  油圧モーター
５  ケリーバ支持台
６  ケリーウインチ
７  加速度センサ
８  管理装置
８１  バンドパスフィルタ
８２  傾斜角検出手段
８３  地盤情報管理手段
８４  異常傾斜警告手段
８５  Ｎ値検出手段
８６  表示装置
【図１】
2008255764.tif 000003
【図２】
2008255764.tif 000004
【図３】
2008255764.tif 000005
【図４】
2008255764.tif 000006
【図５】
2008255764.tif 000007
【図６】
2008255764.tif 000008